(57)【特許請求の範囲】
【請求項１】
外部からの入力画像を投射面に投射する画像投射装置であって、
色補正情報に基づいて前記入力画像の色を補正する色補正手段と、
輝度補正情報に基づいて前記入力画像の輝度を補正する輝度補正手段と、
投射画像を検出する投射画像検出手段と、
検出した前記投射画像を輝度情報と色情報に変換する投射画像演算手段と、
前記入力画像の色情報と、前記投射画像の色情報が略一致するように前記色補正情報を生成し、前記入力画像の輝度情報と、前記投射画像の輝度情報が略一致するように前記輝度補正情報を生成するキャリブレーション処理を実行するキャリブレーション手段と、
前記入力画像における所定の領域と、前記キャリブレーション処理に使用する複数の基準信号レベルを記憶する記憶手段と、
キャリブレーション用画像を出力する出力手段と、
前記入力画像の前記所定の領域内に、前記複数の基準信号レベルが含まれる場合、前記入力画像を使用し、前記キャリブレーション処理を行わせ、前記入力画像の前記所定の領域内に、前記複数の基準信号レベルが含まれず、前記画像投射装置の状態が前記キャリブレーション用画像を出力しても使用者に不都合のない状態になった場合、前記出力手段に前記キャリブレーション用画像を出力させ、前記キャリブレーション処理を行わせる制御手段と、
を有することを特徴とする画像投射装置。
【請求項２】
前記制御手段は、前記入力画像が切り替わったときに、前記出力手段に前記キャリブレーション用画像を出力させることを特徴とする請求項１に記載の画像投射装置。
【請求項３】
前記入力画像に対応する画像を表示する表示素子を照明する照明光学系を更に有し、
前記制御手段は、前記照明光学系のランプの輝度が切り替わったとき、または、前記ランプが点灯した直後の初期画面が投射されたときのいずれかにおいて、前記出力手段に前記キャリブレーション用画像を出力させることを特徴とする請求項１に記載の画像投射装置。
【請求項４】
前記入力画像の種類に応じて設定された画質を有するイメージモードを更に有し、
前記制御手段は、前記イメージモードが切り換えられたときに、前記出力手段に前記キャリブレーション用画像を出力させることを特徴とする請求項１に記載の画像投射装置。
【請求項５】
前記画像投射装置の動作を設定するメニューを更に有し、
前記制御手段は、前記メニューの表示が切り替えられたときに、前記出力手段に前記キャリブレーション用画像を出力させることを特徴とする請求項１に記載の画像投射装置。
【請求項６】
前記制御手段は、前記入力画像が静止画である場合、前記キャリブレーション処理を行わせ、前記入力画像が静止画でない場合、前記キャリブレーション処理を行わせないことを特徴とする請求項１ないし５のうちいずれか１項に記載の画像投射装置。
【請求項７】
外部からの入力画像を投射面に投射する画像投射装置の制御方法であって、
色補正情報に基づいて前記入力画像の色を補正する色補正ステップと、
輝度補正情報に基づいて前記入力画像の輝度を補正する輝度補正ステップと、
投射画像を検出する投射画像検出ステップと、
検出した前記投射画像を輝度情報と色情報に変換する投射画像演算ステップと、
前記入力画像の色情報と、前記投射画像の色情報が略一致するように前記色補正情報を生成し、前記入力画像の輝度情報と、前記投射画像の輝度情報が略一致するように前記輝度補正情報を生成するキャリブレーション処理を実行するキャリブレーションステップと、
前記入力画像における所定の領域と、前記キャリブレーション処理に使用する複数の基準信号レベルを記憶する記憶ステップと、
前記入力画像の前記所定の領域内に、前記複数の基準信号レベルが含まれる場合、前記入力画像を使用し、前記キャリブレーション処理を行わせ、前記入力画像の前記所定の領域内に、前記複数の基準信号レベルが含まれず、前記画像投射装置の状態がキャリブレーション用画像を出力しても使用者に不都合のない状態になった場合、前記キャリブレーション用画像を出力させ、前記キャリブレーション処理を行わせる制御ステップと、
を有することを特徴とする画像投射装置の制御方法。
【請求項８】
外部からの入力画像を投射面に投射する画像投射装置のコンピュータを動作させるためのプログラムであって、
前記プログラムは、前記コンピュータに、
色補正情報に基づいて前記入力画像の色を補正させ、
輝度補正情報に基づいて前記入力画像の輝度を補正させ、
投射画像を検出させ、
検出した前記投射画像を輝度情報と色情報に変換させ、
前記入力画像の色情報と、前記投射画像の色情報が略一致するように前記色補正情報を生成させ、前記入力画像の輝度情報と、前記投射画像の輝度情報が略一致するように前記輝度補正情報を生成するキャリブレーション処理を実行させ、
前記入力画像における所定の領域と、前記キャリブレーション処理に使用する複数の基準信号レベルを記憶させ、
前記入力画像の前記所定の領域内に、前記複数の基準信号レベルが含まれる場合、前記入力画像を使用し、前記キャリブレーション処理を行わせ、前記入力画像の前記所定の領域内に、前記複数の基準信号レベルが含まれず、前記画像投射装置の状態がキャリブレーション用画像を出力しても使用者に不都合のない状態になった場合、前記キャリブレーション用画像を出力させ、前記キャリブレーション処理を行わせることを特徴とするプログラム。
【発明の詳細な説明】
【技術分野】
【０００１】
本発明は、投射画像の色補正を行う画像投射装置、画像投射装置の制御方法およびプログラムに関する。
【背景技術】
【０００２】
プロジェクタ（画像投射装置）は様々な照明環境下で使用されるが、実際の壁色や照明光の影響を考慮して、入力画像を色補正するための補正値のキャリブレーションを行う必要がある。従来は、使用者は実行ボタンを押すなどしてキャリブレーションを手動で開始していた。
【０００３】
例えば、特許文献１では、入力画像の色情報と投影面上の投影画像の色情報を一致させる色変換テーブルを生成し、それに基づいて入力画像の色を色変換し、プロジェクタへ出力する補正色を得るプロジェクタの色補正方法を開示している。
【０００４】
また、特許文献２は、投射画像がない場合にキャリブレーション画像を投射して、その（ＣＩＥの規格に基づく）ＸＹＺ値またはＲＧＢ値を測定し、測定データに基づいて投影面の色補正用テーブルと輝度補正用テーブルを更新する方法を開示している。
【先行技術文献】
【特許文献】
【０００５】
【特許文献１】特開２００３−３２３６１０号公報
【特許文献２】特許３７５５５９３号公報
【発明の概要】
【発明が解決しようとする課題】
【０００６】
特許文献１の色補正方法では、色補正とキャリブレーションの双方を同時に実現する色変換テーブルを生成するためには、キャリブレーション用画像を投射しなければならない。投射中に照明光が変わった場合には色変換テーブルを生成し直す必要があり、使用者がプレゼンテーション中の場合には中断してキャリブレーション用画像を投射しなければならない。
【０００７】
また、特許文献２の方法では、色補正用テーブル生成ステップと輝度補正用テーブル生成ステップの間に投射画像がない状態が必要であり、両ステップの処理を行うにはプレゼンテーションを中断して補正するなどの多大な時間を要する。
【０００８】
本発明は、予め設定された条件が満たされると色補正の補正値のキャリブレーションと色補正を自動的に実行することが可能な画像投射装置、画像投射装置の制御方法およびプログラムを提供することを例示的な目的とする。
【課題を解決するための手段】
【０００９】
本発明の画像投射装置は、外部からの入力画像を投射面に投射する画像投射装置であって、色補正情報に基づいて前記入力画像の色を補正する色補正手段と、輝度補正情報に基づいて前記入力画像の輝度を補正する輝度補正手段と、投射画像を検出する投射画像検出手段と、検出した前記投射画像を輝度情報と色情報に変換する投射画像演算手段と、前記入力画像の色情報と、前記投射画像の色情報が略一致するように前記色補正情報を生成し、前記入力画像の輝度情報と、前記投射画像の輝度情報が略一致するように前記輝度補正情報を生成するキャリブレーション処理を実行するキャリブレーション手段と、前記入力画像における所定の領域と、前記キャリブレーション処理に使用する複数の基準信号レベルを記憶する記憶手段と、キャリブレーション用画像を出力する出力手段と、前記入力画像の前記所定の領域内に、前記複数の基準信号レベルが含まれる場合、前記入力画像を使用し、前記キャリブレーション処理を行わせ、前記入力画像の前記所定の領域内に、前記複数の基準信号レベルが含まれず、前記画像投射装置の状態が前記キャリブレーション用画像を出力しても使用者に不都合のない状態になった場合、前記出力手段に前記キャリブレーション用画像を出力させ、前記キャリブレーション処理を行わせる制御手段と、を有することを特徴とする。
【発明の効果】
【００１０】
本発明によれば、予め設定された条件が満たされると色補正の補正値のキャリブレーションと色補正を自動的に実行することが可能な画像投射装置、画像投射装置の制御方法およびプログラムを提供することができる。
【図面の簡単な説明】
【００１１】
【図１】本実施形態の画像投射装置のブロック図である。
【図２】図１に示す制御手段による動作を説明するためのフローチャートである。
【図３】図２に示すＳ３の詳細を示す図である。
【図４】図２に示すＳ６の詳細を示すフローチャートである。
【図５】図２に示すＳ９の詳細を示すフローチャートである。
【発明を実施するための形態】
【００１２】
図１は本実施形態の画像投射装置のブロック図である。画像投射装置は、画像を投射面であるスクリーン１１０に投射する液晶プロジェクタ等から構成される。
【００１３】
画像投射装置は、不図示のパーソナルコンピュータ（ＰＣ）、ＤＶＤプレーヤ、テレビチューナ等の画像供給装置からの入力映像信号（入力信号）を入力信号処理１０１が受信する。入力信号がアナログ信号の場合は、入力信号処理１０１内部のアナログ／ディジタル変換器でディジタル信号に変換される。入力信号がディジタル信号の場合は、ディジタル信号として切替器１２５を経由し、メニューなどを画面に表示するオンスクリーンディスプレイ（ＯＳＤ）１２４から記憶部１０２、及び画像検出部１２２に送られる。
【００１４】
記憶部１０２は、三次元ルックアップテーブル（３Ｄ−ＬＵＴ）１０３と一次元ルックアップテーブル（１Ｄ−ＬＵＴ）１０４を格納している。３Ｄ−ＬＵＴ１０３は、色補正に使用される、色域補正テーブルや色温度補正テーブルなどの色補正用テーブルである。１Ｄ−ＬＵＴ１０４は、輝度補正に使用される、ガンマテーブルやカラーバランステーブルなどの輝度補正用テーブルである。
【００１５】
液晶表示素子駆動回路１０５は、入力画像に対応する画像を表示する液晶表示素子１０７の駆動に必要な倍速変換、ＶＴガンマ補正等を行い、液晶表示素子駆動信号を生成する。
【００１６】
液晶表示素子１０７は、高圧水銀ランプを含む照明光学系１０６から発せられた光によって照明され、液晶表示素子駆動回路１０５からの液晶表示素子駆動信号による制御に基づいて、入射光を変調する。液晶表示素子１０７を出射した光束は、投射レンズ１０８に向かう。投射レンズ１０８では、ズームレンズなどでズーム動作を行い、液晶表示素子１０７からの光束を投射光として投射面としてのスクリーン１１０に投射する。
【００１７】
会議室などのスクリーン１１０は、投射光と共に外光照明１０９や窓などから入射する太陽光などの外光の影響を受ける。これにより、投射面の反射光の色や輝度は変化する。また、スクリーン１１０そのものも、理想的な白に対して多少の色の幅を有し、理想的な白でない場合や黒板、淡い青やピンク、黄色などのカラーパーティションなどの場合もある。
【００１８】
カラーセンサ１１１は、例えば、ＣＣＤカメラのような２次元のＲＧＢ色センサからなり、スクリーン１１０の投射画像の反射光の互いに異なる波長領域を投射領域全体に亘って検出する。画像領域指定手段１２０は、スクリーン１１０において投射画像が存在する領域を指定（検出）する。
【００１９】
カラーセンサ１１１の検出結果は、画像比較演算部１２３の比較演算手段１１６に送られる。検出結果は、ＸＹＺ値を示すデータ、ＸＹＺ値から導かれるデータ（例えば、所定の色空間内の座標値、ｘｙ色度値等）、ＸＹＺ値を導くデータ（例えば、ＲＧＢ値）などで送られる。画像領域指定手段１２０による領域情報も、画像比較演算部１２３の比較演算手段１１６に送られる。
【００２０】
ＸＹＺ値は、国際照明委員会（ＣＩＥ）による色の規格の一種でＸＹＺ値をＲＧＢ値に変換可能である。Ｙ値は輝度を示す。即ち、基準となる画像をスクリーン上に投射し、そのスクリーン上の投射画像のＸＹＺ値をカラーセンサ１１１により検出することで、画像の色と輝度を求めることができる。
【００２１】
画像比較演算部１２３は、補正更新判定手段１１４、補正値記憶手段１１５、比較演算手段１１６、センサ基準値記憶手段１２１を有し、記憶部１０２のテーブルにおいてキャリブレーションされるべき補正値を演算する。
【００２２】
一方、ＰＣなどからの入力信号は、入力信号処理１０１から切替器１２５を経由し、画像検出部１２２に送られる。画像検出部１２２は、制御手段１１８の指示に従って入力信号からキャリブレーションに必要な（信号レベルと領域が既知である）基準画像を検出する。
【００２３】
画像検出部１２２は、領域指定部１１３と画像レベル指定部１１７を有する。画像検出部１２２は、入力信号に基づく入力画像にキャリブレーションに使用可能なキャリブレーション用画像または基準画像が含まれているかどうかを検出する。キャリブレーション用画像または基準画像は、記憶手段１２６に格納されている。基準画像はキャリブレーションに適した画像であるからキャリブレーション用画像として把握されてもよい。
【００２４】
この結果、画像比較演算部１２３は、入力画像に記憶手段１２６に記憶されたキャリブレーション用画像が含まれている場合、記憶部１０２のテーブルを用いてキャリブレーションされるべき補正値を演算する。
【００２５】
制御手段１１８は、不図示の解像度変換部で、入力信号（映像信号）を赤色用、緑色用、青色用の液晶表示素子１０７に適した解像度に変換する。そして、変換された映像信号に対して色の補正と輝度の補正を行う。制御手段１１８は、マイクロコンピュータから構成されている。
【００２６】
制御手段１１８は、色補正用テーブルである３Ｄ−ＬＵＴ１０３を使用して入力画像の色を補正し、輝度補正用テーブルである１Ｄ−ＬＵＴ１０４を使用して入力画像の輝度を補正する色補正手段として機能する。
【００２７】
また、制御手段１１８は、入力画像の色情報と投射面に投射された画像の反射光の色情報が一致するように３Ｄ−ＬＵＴ１０３と１Ｄ−ＬＵＴ１０４が保持するそれぞれの補正値を補正するキャリブレーション手段としても機能する。
【００２８】
制御手段１１８には、色補正に適するキャリブレーション用画像の信号レベルと領域を記憶する記憶手段１２６が接続されている。記憶部１０２と記憶部１２６が別体である必要はなく、１つの記憶部の中に、それぞれの情報が格納されていてもよい。また、制御手段１１８と記憶手段１２６が物理的に接続されていなくても、通信可能であればよい。
【００２９】
また、信号レベルとは、例えば、黒信号や白信号の値やそれに対応する情報である。領域とは、画像のスクリーン１１０における場所（画面の全体でもよいが画面の右下や左上など）を表している。例えば、記憶手段１２６は、画面の右下の一定領域にある黒画像や画面の左上の一定領域にある白画像などを格納している。
【００３０】
制御手段１１８は、入力画像にキャリブレーション用画像が含まれること（上述したように、これは基準画像が出力されたことを含む）を条件として、テーブルの補正値のキャリブレーションと色補正を自動的に実行する。このように、使用者による操作（ボタンを押すなど）を伴わずに、ある条件が満たされると色補正が自動的に実行される。
【００３１】
画像検出部１２２の画像レベル指定部１１７と領域指定部１１３は、図３の点線に示すように、入力信号の信号レベルと領域を指定（検出）し、記憶手段１２６に記憶されたキャリブレーションに適した画像を自動的に検出する。そして、画像検出部１２２は検出結果を画像比較演算部１２３の比較演算手段１１６に送信する。画像検出部１２２は、予め記憶手段１２６に記憶された信号レベルと領域を設定してもよいし、ユーザの設定により更新され、記憶手段１２６に記憶された信号レベルと領域を設定してもよい。
【００３２】
図３では、ｘｙ座標で左上頂点の座標（０，０）と右下頂点の座標（１０２４，７６８）を有する矩形領域の全画面において左上頂点の座標（３００，２００）と右下頂点の座標（６８０，５７６）と設定することによって点線で示す対象領域を設定している。入力信号レベル設定ではＲＧＢ各色は２５６ビットとして設定されている。黒信号検出は（０，０，０）＋３以下、グレイ５０％検出は（１２８，１２８，１２８）±３、白信号検出は（２５５，２５５，２５５）−３以上である。
【００３３】
センサ基準値記憶手段１２１には、キャリブレーションに適した入力信号の条件と、基準スクリーン、及び定められた外光条件によって、工場調整などで調整されたカラーセンサ１１１の基準となるデータが記憶されている。
【００３４】
センサ基準値記憶手段１２１は、投射画像が理想的な白表示のときの基準値を記憶している。例えば、入力信号が、キャリブレーション用画像の白１００％の画像であった場合には、それに対応する白１００％表示時の基準値を記憶している。白１００％入力時に、センサ基準記憶手段１２１に記憶された基準値になるように、１Ｄ−ＬＵＴ１０４または３Ｄ−ＬＵＴ１０３の値を補正することで投射画面の輝度や色が適当になるように調整される。
【００３５】
比較演算手段１１６は、入力信号が画像検出部１２２により検出されたキャリブレーションに適した画像を含む場合に、センサ基準値記憶手段１２１に記憶された基準値と、カラーセンサ１１１により検出された実際のスクリーン上の色情報とを比較する。そして、比較演算手段１１６は、記憶部１０２に記憶された各種テーブルの色や輝度の補正値を演算する。そして、比較演算手段１１６は、１Ｄ−ＬＵＴ１０４と３Ｄ−ＬＵＴ１０３の値を補正値記憶手段１１５に書き込む。書き込まれた補正値は、補正更新判定手段１１４に送られ、制御手段１１８の指示するタイミングで１Ｄ−ＬＵＴ１０４または３Ｄ−ＬＵＴ１０３の値を最適値（補正値記憶手段１１５が記憶している補正値）に補正する。
【００３６】
この結果、入力信号に含まれるキャリブレーション用画像をスクリーン投射した状態で、且つ、外光照明やスクリーンの色の影響も加算された状態においても、投射画面の輝度や色が最適値になるように自動調整が行われる。
【００３７】
以上は、入力信号の中からキャリブレーション用画像を自動検出して補正を行う場合について説明したが、キャリブレーション用画像がなければ補正は実行されない。
【００３８】
そこで、制御手段１１８は、基準画像出力手段１１２から、例えば、白１００％、黒０％等の信号レベルとそれが存在する領域が既知のキャリブレーションに適した基準画像を出力する。基準画像は、次いで、切替器１２５に出力され、これに基づいて、記憶部１０２でキャリブレーション補正を行うことができる。
【００３９】
例えば、画像投射装置の状態によって、強制的に内部信号のキャリブレーション用画像を出力してカラーセンサ１１１の検出値と比較することで１Ｄ−ＬＵＴ１０４または３Ｄ−ＬＵＴ１０３の値を最適値に補正することができる。
【００４０】
キャリブレーションは、強制的にキャリブレーション用画像を出力しても使用者に不都合のない状態を確保した状態、例えば、入力信号が無信号の場合に行われる。その他、例えば、入力信号が切り替わった時、メニュー表示切替時、照明光学系１０６のランプの輝度が切り替わった時、ランプが点灯した直後の初期画面において基準画像が出力されてもよい。あるいは、プロジェクタの動作を設定するメニューの表示が切り替えられた時に基準画像が出力されてもよい。あるいは、プレゼンテーションモード、スタンダードモード、シネマモードなどの映画やスポーツなど入力画像の種類に応じて設定された画質を有するイメージモードが切り替えられた時に基準画像が出力されてもよい。これらの条件は、後述する表１の条件に対応する。
【００４１】
図２は、制御手段１１８が実行する自動色補正方法のフローチャートである。図２に示す自動色補正方法（後述する図４及び図５に示すフローを含む）において、「Ｓ」はステップ（工程）の略である。本補正方法はコンピュータが実行可能なプログラムとして具現化可能であり、この場合、かかるプログラムはコンピュータに以下のステップを行う手段として機能させる。
【００４２】
まず、画像投射装置のランプ点灯し、通常使用状態を表す（Ｓ１）。次に、リモコンなどの操作部による操作などで自動色補正機能の設定をメニュー操作などで実行する（Ｓ２）。
【００４３】
自動色補正設定が選択された場合には（Ｓ２のＹ）、図３に示すように、入力画像の自動色調整を実行するための条件設定をし、入力画像信号から色調整に適した画像の信号レベルや領域を予め設定する（Ｓ３）。
【００４４】
次に、入力画像信号が色調整に適さない場合に、強制的に基準画像を出力するための条件設定をする（Ｓ４）。Ｓ４では、表１に示すように、条件１から４のいずれか又は全部を選択し設定する。なお、キャリブレーション用画像は白１００％、５０％、黒０％信号に限定されず、時間的な制約が少ない場合には、Ｒ（赤）、Ｇ（緑）、Ｂ（青）、Ｃ（シアン）、Ｍ（マゼンダ）、Ｙ（黄）や各階調も必要により増やすことができる。
【００４５】
【表１】
0005822575.tif 000002
【００４６】
自動色補正設定が選択されない場合（Ｓ２のＮ）またはＳ４の後で、制御手段１１８は、Ｓ３の条件に一致するかどうかを判断する（Ｓ５）。Ｓ３の条件に一致する場合には（Ｓ５のＹ）、制御手段１１８は、センサ基準値とカラーセンサ値とを比較し、補正値を演算および記憶し、記憶部１０２のテーブルの補正値のキャリブレーションを行う（Ｓ６）。
【００４７】
図４は、Ｓ６の詳細を説明するためのフローチャートである。
【００４８】
まず、制御手段１１８は、入力画像が静止画かどうかを判断し（Ｓ６１）、静止画でなければ（Ｓ６１のＮ）処理を終了する。静止画であれば（Ｓ６１のＹ）、制御手段１１８は、画像検出部１２２を介して入力画像領域とレベルを比較演算手段１１６に通知する（Ｓ６２）。次に、制御手段１１８は、カラーセンサ１１１に領域と検出信号を比較演算手段１１６に通知させる（Ｓ６３）。
【００４９】
次に、制御手段１１８は、比較演算手段１１６を介してセンサ基準値とカラーセンサ値を、プロジェクタの色空間で一致させる補正値を演算する（Ｓ６４）。色補正値は３Ｄ−ＬＵＴ１０３に使用され、輝度補正値は１Ｄ−ＬＵＴ１０４に使用される。
【００５０】
次に、制御手段１１８は、補正値が所定の範囲内であるかどうかを判断し（Ｓ６５）、所定の範囲内でなければ（Ｓ６５のＮ）、処理を終了する。一方、補正値が所定の範囲内であれば（Ｓ６５のＹ）、制御手段１１８は補正値を補正値記憶手段１１５に記憶し（Ｓ６６）、補正更新判定手段１１４を介して補正値を更新すべきかどうかを判定する（Ｓ６７）。
【００５１】
補正更新判定手段１１４が補正値を更新すべきではないと判定すると（Ｓ６７のＮ）、処理を終了する。一方、補正更新判定手段１１４が補正値を更新すべきであると判定すると（Ｓ６７のＹ）、制御手段１１８は、記憶部１０２の３Ｄ−ＬＵＴ１０３と１Ｄ−ＬＵＴ１０４の値を更新し（Ｓ６８）、処理を終了する。これにより、入力画像の自動色補正を行う。
【００５２】
Ｓ３の条件に一致しない場合（Ｓ５のＮ）またはＳ６の後で、制御手段１１８はＳ４の条件が一致するかどうかを判断する（Ｓ７）。Ｓ４の条件が一致しない場合（Ｓ７のＮ）、Ｓ１に戻る。
【００５３】
一方、Ｓ４の条件が一致する場合は（Ｓ７のＹ）、制御手段１１８は、基準画像出力手段１１２からの自動色補正用の基準画像を切替器１２５を経由して強制的に出力して投射する（Ｓ８）。
【００５４】
また、制御手段１１８は、基準投射画像とセンサ値を比較し補正値を演算および記憶し記憶部１０２のテーブルを更新する（Ｓ９）。図５は、Ｓ９の詳細を説明するためのフローチャートである。
【００５５】
まず、制御手段１１８は、カラーセンサ１１１の検出結果と画像領域指定手段１２０が指定した画像領域と検出信号を比較演算手段１１６に通知させる（Ｓ９１）。次に、制御手段１１８は、センサ基準値とカラーセンサ値を、プロジェクタの色空間で一致させる補正値を演算する（Ｓ９２）。
【００５６】
次に、制御手段１１８は、基準画像を変更するかどうかを判定し（Ｓ９３）、基準画像を変更する場合には（Ｓ９３のＹ）、基準画像を変更して投射し（Ｓ９４）、Ｓ９１に戻る。一方、基準画像を変更しない場合には（Ｓ９３のＮ）、補正値が所定の範囲内であるかどうかを判断し（Ｓ９５）、補正値が所定の範囲内でなければ（Ｓ９５のＮ）、処理を終了する。
【００５７】
一方、補正値が所定の範囲内であれば（Ｓ９５のＹ）、制御手段１１８は補正値を補正値記憶手段１１５に記憶し（Ｓ９６）、記憶部１０２の３Ｄ−ＬＵＴ１０３と１Ｄ−ＬＵＴ１０４の値を更新し（Ｓ９８）、処理を終了する。これにより、基準画像の自動色補正を行う。
【００５８】
画像比較演算部１２３と記憶部１０２を利用して実行される色再現動作は以下の通りである。即ち、制御手段１１８は、カラーセンサ１１１から取り込まれたスクリーン１１０上の色情報ＲＧＢ又はＸＹＺ値に基づいた画像投射装置の色空間と入力画像の色情報に基づいた入力信号側の色空間（例えば、ｓＲＧＢ色空間）を利用する。そして、制御手段１１８は、壁色、スクリーン１１０の色、照明光の影響下で入力信号と同じ色になるように記憶部１０２のテーブル補正値を生成する。
【００５９】
本実施形態によれば、入力画像から色補正に適する画像の信号レベルと領域を登録し、入力画像の条件を検出することにより自動色補正を逐次実行し、色補正に適する画像が検出できない場合でも条件に従って基準画像を出力して自動色補正を実行することができる。このため、初期設定だけで使用者の特別な操作なしにスクリーンが着色している場合や照明光が変化しても３Ｄ−ＬＵＴ１０３と１Ｄ−ＬＵＴ１０４の補正値を演算・更新して自動色補正をすることができる。また、キャリブレーションに適した入力信号条件と、基準スクリーン、及び定められた外光条件によって工場調整などで調整されたカラーセンサ基準値を用いることで自動色補正機能が実現できる。
【００６０】
以上、本発明の実施形態について説明したが、本発明はこれらの実施例に限定されず、その要旨の範囲内で種々の変形及び変更が可能である。
【産業上の利用可能性】
【００６１】
本実施形態の画像投射装置は液晶プロジェクタ等の用途に適用することができる。
【符号の説明】
【００６２】
１１８…制御手段（色補正手段、キャリブレーション手段）、１２６…記憶手段
【図１】
0005822575.tif 000003
【図２】
0005822575.tif 000004
【図３】
0005822575.tif 000005
【図４】
0005822575.tif 000006
【図５】
0005822575.tif 000007